(57)【要約】洗浄水溶液、濃縮洗浄剤を含有するパッケージ、並びに包装された濃縮洗浄剤及び容器を含むキットを作製するための硬質表面用濃縮洗浄剤を包装するのに適した水溶性フィルムを開示する。前記フィルムは水溶性ポリマー成分及び添加剤成分を含む。前記フィルムは溶解すると実質的に濁りのない水溶液を形成する。【特許請求の範囲】
【請求項１】
水溶性ポリマーを約７０重量％〜約９５重量％と、
添加剤を約５重量％〜約３０重量％と、
を含む硬質表面用洗浄剤を包装するのに適した水溶性フィルム
（ここで、前記フィルムが有する濁り生成物質は約１重量％未満である。）。
【請求項２】
水溶性ポリマーを約７０重量％〜約９５重量％と、
添加剤を約５重量％〜約３０重量％と、
を含む硬質表面用洗浄剤を包装するのに適した水溶性フィルム
（ここで、洗浄溶液７８０ｍＬに溶解した０．５ｇの前記フィルムを含む溶液は約３．０ＮＴＵ未満の濁度を有する。）。
【請求項３】
水溶性ポリマーと、
可塑剤と、
界面活性剤と、
を含む硬質表面用洗浄剤を包装するのに適した水溶性フィルム
（ここで、洗浄溶液７８０ｍＬに溶解した０．５ｇの前記フィルムを含む溶液は約３．０ＮＴＵ未満の濁度を有する。）。
【請求項４】
洗浄溶液７８０ｍＬに溶解した０．５ｇの前記フィルムを含む溶液は約３．０ＮＴＵ未満の濁度を有する請求項１に記載のフィルム。
【請求項５】
前記水溶性ポリマーがポリビニルアルコールである請求項１〜４の何れか一項に記載のフィルム。
【請求項６】
前記ポリビニルアルコールが共重合体である請求項１〜５の何れか一項に記載のフィルム。
【請求項７】
前記フィルムは濁り生成物質を約１重量％未満有する請求項１〜６の何れか一項に記載のフィルム。
【請求項８】
濁り生成物質の量が約０．２重量％未満である請求項１〜７の何れか一項に記載のフィルム。
【請求項９】
ポリビニルアルコールを含む請求項１〜８の何れか一項に記載のフィルム
（ここで、前記ポリビニルアルコールの加水分解率は約７４％〜約９０％である。）。
【請求項１０】
前記水溶性ポリマーの重合度は、２０℃で４重量％の水溶液が約３ＭＰａ〜約３０ＭＰａの粘度を有するような重合度である請求項１〜９の何れか一項に記載のフィルム。
【請求項１１】
前記フィルムを含有する溶液の濁度は約１．０ＮＴＵ未満である請求項２〜９の何れか一項に記載のフィルム。
【請求項１２】
前記添加剤が約０．０１重量％〜約１．０重量％を占める界面活性剤を含む請求項１、２及び４〜１１の何れか一項に記載のフィルム。
【請求項１３】
前記界面活性剤が約０．１重量％〜約０．６重量％を占める請求項１２に記載のフィルム。
【請求項１４】
前記添加剤が、グリセリン、ジグリセリン、ソルビトール、エチレングリコール、ジエチレングリコール、トリエチレングリコール、プロピレングリコール、ポリエチレングリコール（最大４００のＭＷまで）、ネオペンチルグリコール、トリメチロールプロパン、ポリエーテルポリオール、エタノールアミンよりなる群、及び前記群の少なくとも１種を含有する組み合わせから選択される可塑剤を含む請求項１、２及び４〜１１の何れか一項に記載のフィルム。
【請求項１５】
前記添加剤が約５重量％〜約３０重量％を占める可塑剤を含む請求項１、２、４〜１１及び１４の何れか一項に記載のフィルム。
【請求項１６】
前記可塑剤が約１２重量％〜約２０重量％を占める請求項１５に記載のフィルム。
【請求項１７】
前記界面活性剤が約０．０１重量％〜約１．０重量％を占める請求項３〜１１の何れか一項に記載のフィルム。
【請求項１８】
前記界面活性剤が約０．１重量％〜約０．６重量％を占める請求項１７に記載のフィルム。
【請求項１９】
前記可塑剤がグリセリン、ジグリセリン、ソルビトール、エチレングリコール、ジエチレングリコール、トリエチレングリコール、プロピレングリコール、ポリエチレングリコール（最大４００のＭＷまで）、ネオペンチルグリコール、トリメチロールプロパン、ポリエーテルポリオール、エタノールアミンよりなる群、及び前記群の少なくとも１種を含有する組み合わせから選択される請求項３〜１１、１７、１８の何れか一項に記載のフィルム。
【請求項２０】
前記可塑剤が約５重量％〜約３０重量％を占める請求項３〜１１、及び１７〜１９の何れか一項に記載のフィルム。
【請求項２１】
前記可塑剤が約１２重量％〜約２０重量％を占める請求項２０に記載のフィルム。
【発明の詳細な説明】
【技術分野】
【０００１】
本発明は水溶性フィルムに関し、より具体的には、水及び硬質表面用洗浄剤と共に実質的に濁りのない溶液を形成する水溶性フィルムに関する。
【背景技術】
【０００２】
ガラスなどの硬質表面の洗浄は、多くの場合、表面洗浄剤を使って直接その表面に塗布し、布、スクイージー又はその他の手段を用いて拭い取ることによってなされている。この種の洗浄剤は陰イオン性界面活性剤、非イオン性界面活性剤、両性界面活性剤、溶剤、及びキレート剤の種々の組み合わせを含むものであることが多い。その他の成分としてはアンモニア、酢酸、及び水が含まれることが多い。
【０００３】
表面洗浄剤は一般に水溶液中で効果を発揮するため、濃縮洗浄剤を水と混合して洗浄溶液を作製することができる。この濃縮洗浄剤は大部分の水成分とは別々に包装して輸送することができる。最終利用者はこの濃縮洗浄剤を水と混ぜ合わせることによって最終的な洗浄溶液を作製することができる。濃縮洗浄剤の使用に伴う問題は、濃縮洗浄剤が最終的な洗浄溶液における表面洗浄剤の適切な濃度を確保するための正確な混合を必要とするということである。溶液が薄すぎると洗浄剤による性能が低下するであろう。溶液が濃すぎても洗浄された表面に洗浄剤の残渣が残る可能性があるという点で性能が低下するであろう。更に、濃すぎる洗浄溶液だと濃縮洗浄剤の一部が無駄になる。
【０００４】
濃縮洗浄剤の不適切な混合を防止するために、予め測定した単回使用量の濃縮洗浄剤を個々のパッケージに包装することが有利であることが分かった。予め測定した量の濃縮洗浄剤を所定量の水に加えて適切な濃度の洗浄溶液を作製することが望まれる。更に、濃縮洗浄剤と共に適切な大きさの容器をパッケージ化し、使用者は単に濃縮洗浄剤を容器に加え、容器の残りを水で満たすようにすることができる。容器が空になると、濃縮洗浄剤の詰め替え用パッケージを容器に加えて残りを再び水で満たせばよい。
【０００５】
ある種の濃縮洗浄剤を予め測定した単回使用量で水溶性パッケージに入れてパッケージ化することが有用であることが分かった。洗浄溶液の作製は濃縮洗浄剤を含有する水溶性パッケージの使用によって容易になる。というのは、利用者は単に水溶性パッケージを容器に入れて正しい量の水を加えることで所望の洗浄溶液を作製することができるからである。水溶性パッケージが溶解すると、洗浄剤が放出されて適正な洗浄剤濃度の洗浄溶液が形成される。
【発明の開示】
【発明が解決しようとする課題】
【０００６】
硬質表面用濃縮洗浄剤を水溶性パッケージに包装することに伴う問題の一つは溶解したパッケージがさもなくば澄んだ又は透明である洗浄溶液に濁りを生じさせ得ることである。洗浄溶液が透明な容器１０（図１に示すように引き金式スプレー機構１１を有することができる。）から供給されるのが望ましいことが多い。溶解したパッケージによる洗浄溶液の濁りや曇りは洗浄された表面に残渣を残すことがある。洗浄中に目に見えるほどの残渣が表面に付着しなくても、懸濁した洗浄溶液が透明な容器中に存在すると、望ましくない残渣が洗浄された表面に残るだろうという印象が消費者の心の中に生じ得る。
【課題を解決するための手段】
【０００７】
一実施形態によれば、硬質表面用洗浄剤を包装するのに好適な水溶性フィルムはポリビニルアルコールポリマーを重量比で約７０％〜約９５％（重量％）含む。前記フィルムは添加剤成分を約５重量％〜約３０重量％含む。前記フィルムが有する濁り生成物質は約１重量％未満である。
【０００８】
別の一実施形態によれば、硬質表面用洗浄剤を包装するのに好適な水溶性フィルムは水溶性ポリマー成分、可塑剤成分、及び界面活性剤成分を含む。前記フィルムは、約０ＮＴＵ〜約３．０ＮＴＵ（ＮＴＵ：Nephelometric Turbidity Unit)の濁度を有し、水及び硬質表面用洗浄剤と共に実質的に濁りのない溶液を形成する。
【０００９】
別の一実施形態によれば、硬質表面用洗浄剤を包装するのに好適な水溶性フィルムはポリビニルアルコールポリマー、少なくとも１種の可塑剤、及び少なくとも１種の界面活性剤を含む。濃縮洗浄剤を概ね１体積％〜２体積％含む洗浄溶液７８０ｍＬに溶解した０．５ｇのフィルムを含む溶液は、約０ＮＴＵ〜約３．０ＮＴＵの濁度を有する。溶解したフィルムのない溶液は約０．４ＮＴＵの濁度を有する。
【００１０】
本発明の別の一側面によれば、硬質表面用洗浄剤を包装するのに好適な水溶性フィルムはポリビニルアルコール成分を約７０重量％〜約９５重量％含む。また、前記フィルムは添加剤成分を約５重量％〜約３０重量％含む。濃縮洗浄剤を概ね１体積％〜２体積％含む洗浄溶液７８０ｍＬに溶解した０．５ｇのフィルムを含む溶液は、約０ＮＴＵ〜約３．０ＮＴＵの濁度を有する。溶解したフィルムのない溶液は約０．４ＮＴＵの濁度を有する。
【発明を実施するための最良の形態】
【００１１】
本発明は種々の実施形態を取ることが可能であるが、本発明の好適な実施形態を図面に示すとともに詳細に説明する。本開示は本発明の原理の例示とみなされるべきであることを理解されたい。この例示は本発明の幅広い側面を図示及び記載した実施形態に限定することを意図するものではない。
【００１２】
硬質表面用洗浄剤は一般には鏡、窓、カウンター、テーブル、電気器具、及びその他の物品を洗浄するのに使用する。硬質表面用洗浄剤は濃縮された形態で提供され、水と混合して洗浄溶液を形成する。本発明において使用が企図されている硬質表面用洗浄剤は溶液が実質的に澄んでおり又は透明である水溶液を生成する任意の濃縮洗浄剤を含む。該溶液は着色されていてもよい。
【００１３】
この硬質表面用洗浄剤は任意の濃縮相（例えば、固体状、ゼラチン状、エマルジョン、液状）とすることができるが、液状が好ましい。一般的に、洗浄剤は特に界面活性剤、溶剤、キレート剤、洗剤、乳化剤、染料、及び芳香剤を含むことができる。洗浄剤は通常は濃縮されており、一定量の水と混合して洗浄溶液を形成することができる。これを表面に直接塗布し、次いで該硬質表面から拭き取る（好ましくは表面をきれいに及びあとが残らないようにする）ことができる。洗浄溶液は、引き金式スプレー機構１１を有する容器１０を用いて、洗浄すべき表面に直接スプレーすることによって塗布されるのが好ましい。濃縮洗浄剤は水と混合して相対的に希釈された洗浄に適した洗浄溶液を形成するのに充分な程度に濃縮されているのが好ましいが、最初から水を成分として含んでいても良い。
【００１４】
図２に濃縮洗浄剤を含有するためのパッケージ１２の一実施形態を示している。図３にパッケージ１２の断面図を示している。濃縮洗浄剤１４はパッケージ１２に密封される。パッケージ１２は水溶性フィルム１６の二つの断片（例えばウェブ又はシート）から形成されるのが好ましく、これらは周囲１８に沿って熱融着、溶剤接着、超音波若しくは誘電加熱溶接、又は高周波数シールにより接着されるのが好ましい。パッケージは種々のシーリング形態をもつ種々の形状で構成することができ、いずれが特に好ましいというものではない。別の実施形態では、パッケージは水溶性フィルムの連続ウェブを折り返し、折り返された部分の周囲に沿って密封することから作ることができる。１つ又は２つのウェブフィルムから充填パッケージを作製する種々の包装機械がある。パッケージ１２の形状は図１に示すようなスプレーボトルのネック２０、又はその他の容器（有利には１つの狭い開口部を有する容器）に適合するように長く伸びているのが好ましい。
【００１５】
洗浄剤含有パッケージのための多くの代替的なデザイン及び形状が存在し、これらを使用することで同様の有益な結果をもたらすことができる。そのいくつかを図４〜６に示しており、球形パッケージ２２、円筒形パッケージ２４、及びカプセル形パッケージ２６が挙げられている。パッケージは互いに同種又は異種のフィルム物質の複数の層を含んでよいが、好ましくは単一層のフィルムである。
【００１６】
好ましい洗浄システムの一つは、上述した種々の水溶性パッケージの何れかに入った濃縮洗浄剤と、濃縮洗浄剤を含有するパッケージを入れることのできる体積を有する容器とを包含するキットを含み、容器の残りは水で満たされて所望の濃度の洗浄剤を有する実質的に濁りのない洗浄溶液が提供される。好ましい容器は図１に示すような引き金式スプレーボトルである。好ましい容器は再利用でき、着脱可能な引き金式スプレー機構１１を有し、容器１０の開口部に取り付ける。いったんすべての洗浄溶液が使用されると、望ましくは別の濃縮洗浄剤パッケージが容器に加えられ、残りを水で満たして再び適性濃度の洗浄溶液が作製される。容器に多数回再充填できるように濃縮洗浄剤を含有する複数の水溶性パッケージを容器と共にパッケージ化することができる。
【００１７】
本発明の水溶性フィルムは一般に実質的に濁りのない水溶液を生じさせる。このフィルムは一般に３種類の主たる成分、すなわち、水溶性ポリマー成分、可塑剤成分、及び界面活性剤成分を含む。一実施形態では、水溶性フィルムは上記３種類の成分のみからなり、他の如何なる添加剤も実質的に含まない。別の一実施形態では、水溶性フィルムは上記３種類の成分から本質的になり、フィルム及び／又はパッケージの基本的及び新規な特性に有意に影響を与える他の如何なる添加剤も実質的に含まない。水溶性フィルム中に典型的に存在する多くの添加剤はフィルムを水に入れたときに濁りの原因となる。フィルム中に望ましくは存在しない添加剤のいくつかの類型としてアンチブロック剤（これはフィルム表面が互いに密着するのを防止する。）、離型剤、潤滑剤、粘着抑制剤、充填剤、及び増量剤が挙げられる。
【００１８】
水溶性フィルム中に一般に見出される多くの特定物質が水及びフィルムの溶液の濁りに寄与することが分かり、本発明に係るフィルムから排除されるのが好ましい。これらの物質としては澱粉、改質澱粉、架橋ポリビニルピロリドン、水不溶性ポリマー（とりわけポリオレフィン及びポリ酢酸ビニル）、架橋セルロースエーテル、微結晶セルロース、キチン、天然及び合成ワックス、ある種の脂肪物質（例えばある種の脂肪アミン、脂肪アミド、脂肪エステル（例えばソルビタン脂肪酸エステル）、脂肪酸（例えばステアリン酸）、脂肪アルコール、ステアリン酸カルシウム、ステアリン酸マグネシウム）、酸化金属（例えば亜鉛及びアルミニウムの酸化物）、軽石粉、スラグ粉、シリカ、珪藻土、シリケート及びシリケート物質（例えばタルク、マイカ、種々の粘土（例えばカオリン及びゼオライト））、炭酸カルシウム、炭酸マグネシウム、硫酸カルシウム及び硫酸バリウムが挙げられる。本明細書では、水溶液中で濁りに寄与する上記及びその他の添加剤を一般に濁り生成物質と呼ぶ。
【００１９】
本発明に係る水溶性フィルムは種々の量の濁り生成物質を含んでよく、その多くを上で述べた。一般に、濁り生成物質の種類は所与の量の物質に対して発生する濁りの度合いに影響を与える。従って、本発明に係る水溶性フィルム中の濁り生成物質の量は約１重量％未満であるのが好ましい。より好ましくは、濁り生成物質の量は約０．２重量％未満である。
【００２０】
本発明に係るフィルム中に存在するのが好ましい３種類の成分である水溶性ポリマー、可塑剤及び界面活性剤は水に溶解して実質的に濁りのない溶液を形成する。水溶性ポリマー成分は好ましくはポリビニルアルコール（ＰＶＯＨ）樹脂である。本発明に有用なポリビニルアルコールは部分的に加水分解されてよく、ポリマーが単一のモノマーから生成されるときは約７４％〜約９０％（このすべての範囲及び範囲の組み合わせの部分集合が含まれる。）の加水分解率であるのが好ましい。
【００２１】
使用されるＰＶＯＨ樹脂は共重合体タイプとすることもできる。共重合体タイプのＰＶＯＨ樹脂は最大１００％までの加水分解率を有する樹脂を含むことができる。最大１００％までの加水分解率を有するカルボキシレート基をもつビニルアルコールポリマーも好適な水溶性ポリマーの一例である。
【００２２】
本発明のフィルム中に使用されるＰＶＯＨ樹脂は任意の重合度であってよい。本発明に係るフィルム中に使用するのに好ましい分子量をもつＰＶＯＨ樹脂としては低から中程度の分子量を有するものが含まれる。好ましい重合度は２０℃で４重量％の水溶液が約３ＭＰａ〜約３０ＭＰａ（このすべての範囲及び範囲の組み合わせの部分集合が含まれる。）の粘度を有するような重合度である。
【００２３】
選択されたＰＶＯＨ樹脂は好ましくは約７０重量％〜９５重量％（このすべての範囲及び範囲の組み合わせの部分集合が含まれる。）を占め、より好ましくは約８０重量％〜約８８重量％を占める。
【００２４】
本発明に係るフィルム中に使用される可塑剤は濁り生成物質ではないのが好ましい。好ましい可塑剤には、限定的ではないが、グリセリン、ジグリセリン、ソルビトール、エチレングリコール、ジエチレングリコール、トリエチレングリコール、プロピレングリコール、ポリエチレングリコール（最大４００の分子量（ＭＷ）まで）、ネオペンチルグリコール、トリメチロールプロパン、ポリエーテルポリオール、エタノールアミン、及び上述した可塑剤の少なくとも１種を含有した組み合わせが挙げられる。
【００２５】
選択された可塑剤は好ましくは約５重量％〜３０重量％（このすべての範囲及び範囲の組み合わせの部分集合が含まれる。）を占め、例えば約１２重量％〜約２０重量％を占める。
【００２６】
一般に存在する第三の成分は界面活性剤である。多くの種類の界面活性剤が本発明に係るフィルム中に使用するのに好適である。選択された界面活性剤は好ましくは親水-親油平衡（ＨＬＢ）値が概ね１０又はそれを超え、より好ましくは１３又はそれを超える。特に好ましい界面活性剤は離型剤としての機能をある程度有するものであり、例えば第四級アンモニウム化合物と酸化アミンの組み合わせである。フィルム中の界面活性剤の量は好ましくは約０．０１重量％〜約１．０重量％（このすべての範囲及び範囲の組み合わせの部分集合が含まれる。）であり、例えば約０．１重量％〜０．６重量％である。
【００２７】
一実施形態においては、洗浄溶液７８０ｍＬに溶解した０．５ｇのフィルムを含む溶液は、約３．０ＮＴＵ未満の濁度を有する。別の一実施形態においては、洗浄溶液７６８ｍＬに溶解した０．５ｇのフィルムを含む溶液は、約３．０ＮＴＵ未満の濁度を有する。
【実施例】
【００２８】
以下の実施例は本開示に係るフィルムの処方を例示するものであるが、本発明の範囲を限定する意図はない。
【００２９】
以下の実施例から分かるように、ここで記載するフィルムは７９．６重量％以上、８０重量％以上、８３重量％以上、８３．５重量％以上、又は８５．７重量％以上の水溶性ポリマー（例えばポリビニルアルコール）を有してよいことが企図されている。本開示に係るフィルムはここでは１４重量％以上、１６．８重量％以上、１９．７５重量％以上、２０重量％以上、又は２１．８重量％以上の可塑剤（例えばグリセリン、トリエチレングリコール、プロピレングリコール、及びポリエチレングリコール２００）を有することができることも企図されている。本発明に係るフィルムはここでは０．２重量％以上、０．２５重量％以上、０．３重量％以上、０．４重量％以上、又は０．５重量％以上の界面活性剤（例えばオクチルフェノールエトキシレート、ラウリル／ミリスチルアルコールエトキシレート、ｎ−アルキルトリメチルアンモニウムクロライド、及びミリスタミンオキシド）を有することができることも企図されている。
【００３０】
実施例１：
ポリビニルアルコール                              ８３．０％
グリセリン                                        １６．８％
オクチルフェノールエトキシレート                    ０．２％
【００３１】
実施例２：
ポリビニルアルコール１                            ４０．００％
ポリビニルアルコール２                            ４０．００％
トリエチレングリコール                            １９．７５％
ラウリル／ミリスチルアルコールエトキシレート        ０．２５％
【００３２】
実施例３：
ポリビニルアルコール                                ８３．５％
グリセリン                                          １６．８％
プロピレングリコール                                  ５．０％
ラウリル／ミリスチルアルコールエトキシレート          ０．２％
ｎ−アルキルトリメチルアンモニウムクロライド          ０．３％
【００３３】
実施例４：
ポリビニルアルコール                                ８５．７％
グリセリン                                          １４．０％
ｎ−アルキルトリメチルアンモニウムクロライド        ０．１４％
ミリスタミンオキシド                                ０．１６％
【００３４】
実施例５：
ポリビニルアルコール１                              ６０．０％
ポリビニルアルコール２                              １９．６％
トリエチレングリコール                              １２．０％
ポリエチレングリコール２００                          ８．０％
ｎ−アルキルトリメチルアンモニウムクロライド        ０．１８％
ミリスタミンオキシド                                ０．２２％
【００３５】
上記例のフィルム組成物は実質的に濁りのない水溶液を形成する。更に、これらのフィルムは、残渣を洗浄された表面に残すことなく硬質表面を洗浄するのに充分に濁りのない水及び洗浄剤との溶液を形成する。更に、上記溶液は充分に澄んでいるため、消費者はこの溶液を透明容器に入れたときに溶液中に濁りを観察することはない。
【００３６】
水に溶解した水溶性フィルムの溶液は最低限度の清澄性を有しているべきである。本開示に係る水溶性フィルムを使う場合とその他の市販の水溶性フィルムを使う場合で、溶解したフィルムが洗浄溶液中に存在するときの濁度低下の結果を評価するために試験を行った。洗浄溶液の濁度について、上述した実施例２及び３の処方物に種々の市販のＰＶＯＨフィルムと比較しながら試験を行った。下表に示した結果によれば、溶解した水溶性フィルム及び濃縮洗浄剤の水溶液の濁度を低下させる点で従来のフィルムに対する本発明の利点が明らかに示されている。
【００３７】
フィルム 濁度（ＮＴＵ）
実施例２のフィルム                  ０．８７    
実施例３のフィルム                  ０．９６
クラレ1ＨＨのフィルム               ７．１３    
アイセロ2ＰＴのフィルム             ３．３２
アイセロ2ＫＢのフィルム             ３．９１
対照標準（洗浄溶液のみ）            ０．３７
1株式会社クラレ（日本、大阪）
2アイセロ化学株式会社（日本、愛知）
【００３８】
上記の表中の結果を出すために用いた試験方法では、まず、実験室規模の汎用の濃縮洗浄剤を作製した。この濃縮洗浄剤は以下を含有する。
成  分 重  量％
エチレングリコールモノブチルエーテル                ２８
２：１  ジエタノールアミン−ココナッツ脂肪酸縮合物  １７
ラウリル硫酸ナトリウム                              ２６
テトラナトリウムＥＤＴＡ                            ２３
水                                                    ６
【００３９】
次いで、各試験用水溶性フィルムでパッケージを作製し、それぞれを１２ｍＬの濃縮洗浄剤で満たした。パッケージに用いた各水溶性フィルムの厚さは概ね７３±３μｍであった。パッケージの寸法は概ね１３ｃｍ×２ｃｍとし、各パッケージにおけるフィルム全体の質量は概ね０．５ｇであった。
【００４０】
次に、各パッケージを７６８ｍＬの水道水に溶解させて１．５体積％の濃縮洗浄剤を有する溶液を作製した。この濃縮洗浄剤及び溶解したフィルムを溶液中で均一に分散させた。次いで、濁度測定試験のために各溶液から１０ｍＬの試料を採取した。１０ｍＬの各試料の濁度を測定するために用いた装置は、Ｈａｃｈ社の研究用濁度計（型式２１００ＡＮ）であり、ＮＩＳＴトレーサブル標準器で校正した。
【００４１】
上で示した濁度値は、本開示に係るフィルムが実質的に濁りのない、そして相対的に低い濁度値を有する洗浄溶液を与えることを示している。一般に、本開示に係る水溶性フィルム、硬質表面用洗浄剤、及び水の溶液は約３．０ＮＴＵ未満の濁度値を与える。より好ましくは、該溶液の濁度値は約１．０ＮＴＵ未満である。濁度値は、部分的に、洗浄溶液を形成するのに用いる濃縮洗浄剤に依存し、溶液中で低い濁度値を示す濃縮洗浄剤を選択することによってより良い清澄性を達成することができる。
【００４２】
行った試験はクラレ及びアイセロのフィルムを用いて得られた溶液はそれぞれ対照標準よりも約１９倍及び１０倍ほど高い濁度であったのに対して、実施例２及び３のフィルムを用いて得られた溶液は対照標準よりも約２．５倍ほど高い濁度に過ぎなかった。濁度の減少によって、溶解した水溶性フィルム及び濃縮洗浄剤を有する洗浄水溶液が実質的に濁りのないものとなった。好ましい実施形態では、本開示に係る濃縮洗浄剤を含有するパッケージが溶解してできた洗浄溶液は肉眼では濁りのないように見える清澄性を有する溶液を与える。
【００４３】
実施例２及び３のフィルムに対して更なる濁度試験を実施した。ここではフィルムを洗浄溶液のない水に溶解させた。溶液を各フィルムに対して調製した。該溶液は７６８ｍＬの水道水に溶解した概ね０．５ｇのフィルムを含有し、溶解したフィルムの０．００６５重量％溶液を与える。この溶液の１０ｍＬの試料を上述した手順に従って試験した。実施例２のフィルムの水溶液に対する濁度値は概ね０．５７ＮＴＵであった。実施例３のフィルムの水溶液に対する濁度値も概ね０．５７ＮＴＵであった。両方の溶液ともに透明であり、肉眼では濁りがないように見えた。
【００４４】
特定の実施形態を例示及び記載したが、本発明の精神から大きく逸脱することなく多くの変形例が即座に想起される。
【図面の簡単な説明】
【００４５】
【図１】水及び未溶解濃縮洗浄剤パッケージを含有する容器の透視図である。
【図２】一実施形態による濃縮洗浄剤パッケージの透視図である。
【図３】線３に沿った、図２の濃縮洗浄剤の断面図である。
【図４】別の一実施形態による濃縮洗浄剤パッケージの透視図である。
【図５】別の一実施形態による濃縮洗浄剤パッケージの透視図である。
【図６】別の一実施形態による濃縮洗浄剤パッケージの透視図である。
【図１】
2006519146.tif 000002
【図２】
2006519146.tif 000003
【図３】
2006519146.tif 000004
【図４】
2006519146.tif 000005
【図５】
2006519146.tif 000006
【図６】
2006519146.tif 000007
【国際調査報告】
2006519146.tif 000008
2006519146.tif 000009
2006519146.tif 000010